(57)【要約】【課題】あたかも利用者の住空間のような表示をブラウザなどにさせうる利用者の住空間の表示制御装置を提供する。【解決手段】内面表示情報データベース１２は、住空間の内面を３次元表示するための内面表示情報を利用者ＩＤに対応づけて記憶する。内面表示情報管理部１３は、受信された利用者ＩＤに対応する内面表示情報を検索する。表示オブジェクトデータベース１４は、利用者の住空間に位置する物品を３次元表示するために利用者により送信された情報である表示オブジェクトを利用者ＩＤに対応づけて記憶する。表示オブジェクト管理部１５は、前記受信された利用者ＩＤに対応する表示オブジェクトを検索する。３Ｄ空間情報生成部１８は、利用者の住空間の内面を３次元表示するための３Ｄ空間情報を、検索された内面表示情報と表示オブジェクトとを用いて生成し、３Ｄブラウザ２に送信する。【選択図】      図１
2004171457.tif 000002
【特許請求の範囲】
【請求項１】
利用者の住空間の内面を３次元表示するための内面表示情報を利用者ＩＤに対応づけて記憶する内面表示情報データベースから、受信された利用者ＩＤに対応する内面表示情報を検索する手段と、
利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索する手段と、
利用者の住空間の内面を３次元表示するための３Ｄ空間情報を前記検索された内面表示情報と表示オブジェクトとを用いて生成する手段と、
前記生成された３Ｄ空間情報を前記利用者ＩＤの送信元へ送信する手段と
を備える利用者の住空間の表示制御装置。
【請求項２】
前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索する手段を備え、
前記３Ｄ空間情報を生成する手段は、前記検索された表示形態情報に応じた表示形態で物品が表示されるように前記３Ｄ空間情報を生成することを特徴とする請求項１記載の利用者の住空間の表示制御装置。
【請求項３】
前記表示オブジェクトデータベースを備える請求項１または２記載の利用者の住空間の表示制御装置。
【請求項４】
前記表示形態情報データベースを備える請求項２または３記載の利用者の住空間の表示制御装置。
【請求項５】
前記表示オブジェクトデータベースと、
前記表示形態情報データベースと、
利用者ＩＤと表示オブジェクトとを受信して前記表示オブジェクトデータベースに記憶させるとともに当該表示オブジェクトに表示オブジェクトＩＤを付与する手段と、
該記憶された表示オブジェクトとともに受信された表示形態情報を前記表示オブジェクトＩＤとともに前記表示形態情報データベースに記憶させる手段とを備える請求項２記載の利用者の住空間の表示制御装置。
【請求項６】
利用者の住空間の表示制御装置が、利用者の住空間の内面を３次元表示するための内面表示情報を利用者ＩＤに対応づけて記憶する内面表示情報データベースから、受信された利用者ＩＤに対応する内面表示情報を検索し、
利用者の住空間の表示制御装置が、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索し、
利用者の住空間の表示制御装置が、利用者の住空間の内面を３次元表示するための３Ｄ空間情報を前記検索された内面表示情報と表示オブジェクトとを用いて生成し、
利用者の住空間の表示制御装置が、前記生成された３Ｄ空間情報を前記利用者ＩＤの送信元へ送信する利用者の住空間の表示制御方法。
【請求項７】
利用者の住空間の表示制御装置が、前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索し、
利用者の住空間の表示制御装置が、前記３Ｄ空間情報を生成する際に、前記検索された表示形態情報に応じた表示形態で物品が表示されるように前記３Ｄ空間情報を生成することを特徴とする請求項６記載の利用者の住空間の表示制御方法。
【請求項８】
請求項１乃至５のいずれかに記載の利用者の住空間の表示制御装置をコンピュータに構成させるプログラム。
【請求項９】
請求項１乃至５のいずれかに記載の利用者の住空間の表示制御装置をコンピュータに構成させるプログラムを格納した記録媒体。
【発明の詳細な説明】
【０００１】
【発明の属する技術分野】
本発明は、あたかも利用者の住空間のような表示をブラウザなどにさせうる利用者の住空間の表示制御装置、方法、プログラム及び記録媒体に関する。
【０００２】
【従来の技術】
従来よりインターネットサービスプロバイダのサーバは、下記の非特許文献１のサーバに代表されるように、利用者毎に選択されたサービスのメニューなどをブラウザに表示させる処理を行っている。かかる処理では、フォルダやコンテンツのアイコンやアイコンの色などもカスタマイズすることができる。
【０００３】
【非特許文献１】
ｈｔｔｐ：／／ｍｙ．ｙａｈｏｏ．ｃｏ．ｊｐ／
【０００４】
【発明が解決しようとする課題】
しかしながら、上記した従来の処理により表示されるアイコンは、インターネットサービスプロバイダのサーバに予め記憶された情報により表示されるものであり、その色も同様にしてサーバに予め記憶された情報によるものであり、利用者から送信された情報によりカスタマイズすることができなかった。
【０００５】
また、表示が２次元的なため、大量の情報を表示するのには適していない。また、立体感の欠如により利用者への訴求力に欠ける点が指摘されていた。
【０００６】
そこで本発明は、上記の従来の課題に鑑みてなされたものであり、その目的とするところは、利用者の好みでサーバに用意されていない情報を追加し、表示操作可能な、あたかも利用者の住空間のような表示をブラウザなどにさせうる利用者の住空間の表示制御装置、方法、プログラム及び記録媒体を提供することにある。
【０００７】
【課題を解決するための手段】
上記従来の課題を解決するために、請求項１の本発明は、利用者の住空間の内面を３次元表示するための内面表示情報を利用者ＩＤに対応づけて記憶する内面表示情報データベースから、受信された利用者ＩＤに対応する内面表示情報を検索する手段と、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索する手段と、利用者の住空間の内面を３次元表示するための３Ｄ空間情報を前記検索された内面表示情報と表示オブジェクトとを用いて生成する手段と、前記生成された３Ｄ空間情報を前記利用者ＩＤの送信元へ送信する手段とを備える利用者の住空間の表示制御装置をもって解決手段とする。
【０００８】
請求項１の利用者の住空間の表示制御装置によれば、利用者の住空間の内面を３次元表示するための内面表示情報を利用者ＩＤに対応づけて記憶する内面表示情報データベースから、受信された利用者ＩＤに対応する内面表示情報を検索する手段と、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索する手段と、利用者の住空間の内面を３次元表示するための３Ｄ空間情報を前記検索された内面表示情報と表示オブジェクトとを用いて生成する手段と、前記生成された３Ｄ空間情報を前記利用者ＩＤの送信元へ送信する手段とを備えるので、あたかも利用者の住空間のような表示をさせることができ、しかも大量の情報を表示できる。
【０００９】
また、請求項２の本発明は、前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索する手段を備え、前記３Ｄ空間情報を生成する手段は、前記検索された表示形態情報に応じた表示形態で物品が表示されるように前記３Ｄ空間情報を生成することを特徴とする請求項１記載の利用者の住空間の表示制御装置をもって解決手段とする。
【００１０】
請求項２の利用者の住空間の表示制御装置によれば、前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索する手段を備え、前記３Ｄ空間情報を生成する手段は、前記検索された表示形態情報に応じた表示形態で物品が表示されるように前記３Ｄ空間情報を生成するので、あたかも利用者の住空間のような表示をさせることができ、しかも大量の情報を表示できる。
【００１１】
また、請求項３の本発明は、前記表示オブジェクトデータベースを備える請求項１または２記載の利用者の住空間の表示制御装置をもって解決手段とする。
【００１２】
また、請求項４の本発明は、前記表示形態情報データベースを備える請求項２または３記載の利用者の住空間の表示制御装置をもって解決手段とする。
【００１３】
また、請求項５の本発明は、前記表示オブジェクトデータベースと、前記表示形態情報データベースと、利用者ＩＤと表示オブジェクトとを受信して前記表示オブジェクトデータベースに記憶させるとともに当該表示オブジェクトに表示オブジェクトＩＤを付与する手段と、該記憶された表示オブジェクトとともに受信された表示形態情報を前記表示オブジェクトＩＤとともに前記表示形態情報データベースに記憶させる手段とを備える請求項２記載の利用者の住空間の表示制御装置をもって解決手段とする。
【００１４】
請求項５の利用者の住空間の表示制御装置によれば、前記表示オブジェクトデータベースと、前記表示形態情報データベースと、利用者ＩＤと表示オブジェクトとを受信して前記表示オブジェクトデータベースに記憶させるとともに当該表示オブジェクトに表示オブジェクトＩＤを付与する手段と、該記憶された表示オブジェクトとともに受信された表示形態情報を前記表示オブジェクトＩＤとともに前記表示形態情報データベースに記憶させる手段とを備えるので、あたかも利用者の住空間のような表示をさせることができ、しかも大量の情報を表示できる。
【００１５】
また、請求項６の本発明は、利用者の住空間の表示制御装置が、利用者の住空間の内面を３次元表示するための内面表示情報を利用者ＩＤに対応づけて記憶する内面表示情報データベースから、受信された利用者ＩＤに対応する内面表示情報を検索し、利用者の住空間の表示制御装置が、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索し、利用者の住空間の表示制御装置が、利用者の住空間の内面を３次元表示するための３Ｄ空間情報を前記検索された内面表示情報と表示オブジェクトとを用いて生成し、利用者の住空間の表示制御装置が、前記生成された３Ｄ空間情報を前記利用者ＩＤの送信元へ送信する利用者の住空間の表示制御方法をもって解決手段とする。
【００１６】
請求項６の利用者の住空間の表示制御方法によれば、利用者の住空間の表示制御装置が、利用者の住空間の内面を３次元表示するための内面表示情報を利用者ＩＤに対応づけて記憶する内面表示情報データベースから、受信された利用者ＩＤに対応する内面表示情報を検索し、利用者の住空間の表示制御装置が、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索し、利用者の住空間の表示制御装置が、利用者の住空間の内面を３次元表示するための３Ｄ空間情報を前記検索された内面表示情報と表示オブジェクトとを用いて生成し、利用者の住空間の表示制御装置が、前記生成された３Ｄ空間情報を前記利用者ＩＤの送信元へ送信するので、あたかも利用者の住空間のような表示をさせることができ、しかも大量の情報を表示できる。
【００１７】
また、請求項７の本発明は、利用者の住空間の表示制御装置が、前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索し、利用者の住空間の表示制御装置が、前記３Ｄ空間情報を生成する際に、前記検索された表示形態情報に応じた表示形態で物品が表示されるように前記３Ｄ空間情報を生成することを特徴とする請求項６記載の利用者の住空間の表示制御方法をもって解決手段とする。
【００１８】
請求項７の利用者の住空間の表示制御方法によれば、利用者の住空間の表示制御装置が、前記物品の表示形態を決定するために利用者により送信された表示形態情報を利用者ＩＤに対応する表示オブジェクトＩＤに対応づけて記憶する表示形態情報データベースから、前記受信された利用者ＩＤに対応する表示オブジェクトＩＤに対応づけられた表示形態情報を検索し、利用者の住空間の表示制御装置が、前記３Ｄ空間情報を生成する際に、前記検索された表示形態情報に応じた表示形態で物品が表示されるように前記３Ｄ空間情報を生成するので、あたかも利用者の住空間のような表示をさせることができ、しかも大量の情報を表示できる。
【００１９】
また、請求項８の本発明は、請求項１乃至５のいずれかに記載の利用者の住空間の表示制御装置をコンピュータに構成させるプログラムをもって解決手段とする。
【００２０】
請求項８のプログラムによれば、あたかも利用者の住空間のような表示をさせることができ、しかも大量の情報を表示できるという本発明の流通性を通信回線等を用いて高めることができる。
【００２１】
また、請求項９の本発明は、請求項１乃至５のいずれかに記載の利用者の住空間の表示制御装置をコンピュータに構成させるプログラムを格納した記録媒体をもって解決手段とする。
【００２２】
請求項９の記録媒体によれば、あたかも利用者の住空間のような表示をさせることができ、しかも大量の情報を表示できるという本発明の流通性を配送等により高めることができる。
【００２３】
なお、本発明にいう「住空間」とは、現実世界の部屋を模した空間でも良いし、宇宙空間のような壁、地面のない無限の広がりを持つ空間や、物体が浮いているような重力の概念の無い空間であってもよい。上記すべての場合に対して本発明は適用できる。
【００２４】
【発明の実施の形態】
以下、本発明の実施の形態を図面を参照して説明する。
【００２５】
図１は、本実施の形態の構成を示す図である。
【００２６】
個人空間管理装置１は、利用者の住空間の表示制御方法を実行する表示制御装置に相当し、個人空間管理装置１への情報の入出力を管理する空間管理部１１と、利用者の住空間を構成する部屋等の内面を３次元表示するための内面表示情報１００を記憶する内面表示情報データベース１２と、内面表示情報１００を管理する内面表示情報管理部１３と、利用者の部屋等に位置する物品を３次元表示するための情報である表示オブジェクト１０１を記憶する表示オブジェクトデータベース１４、表示オブジェクト１０１を管理する表示オブジェクト管理部１５と、利用者の部屋等に位置する物品の表示形態を決定する表示形態情報１０２を記憶する表示形態情報データベース１６と、表示形態情報１０２を管理する表示形態情報管理部１７と、２次元の表示領域に利用者の住空間を３次元表示するための３Ｄ空間情報２００を内面表示情報１００と表示オブジェクト１０１と表示形態情報１０２とにより生成する３Ｄ空間情報生成部１８を備え、ネットワークを介して複数の３Ｄブラウザ２に接続されていてる。各３Ｄブラウザ２は、個人空間管理装置１からの３Ｄ空間情報２００を基に、利用者の住空間を２次元の表示領域に３次元表示するものである。以下、単に３Ｄブラウザ２というときは、前記複数の３Ｄブラウザ２の１つをいうものとする。
【００２７】
図２及び図３は、本実施の形態の作用を示す図である。
【００２８】
［登録段階］
先ず、図２を参照して、登録段階の処理を説明する。なお、内面表示情報データベース１２は、利用者ＩＤと内面表示情報１００とを対応づけて記憶していることとする。
【００２９】
３Ｄブラウザ２は、個人空間管理装置１に対し、利用者ＩＤと、１以上の表示オブジェクト１０１と、この各表示オブジェクト１０１に対応づけられた１以上の表示形態情報１０２を送信する（ステップＳ１）。
【００３０】
表示オブジェクト１０１は、利用者の部屋等に位置する物品を３次元表示するための情報であり表示座標を含んでいる。また、物品を静止させて表示させるものだけでなく、動かせて表示させるための情報であってもよい。
【００３１】
一方、表示形態情報１０２は、表示オブジェクト１０１だけでは表すことのできない、あるいは表示オブジェクト１０１とは別管理を意図された表示形態を決定する情報であり、具体的には、物品の図柄や模様を表示するための画像情報や物品に表示される文字の文字コードである。
【００３２】
これらを受信した空間管理部１１は、この利用者ＩＤと各表示オブジェクト１０１を表示オブジェクト管理部１５に送信する（ステップＳ３）。
【００３３】
表示オブジェクト管理部１５は、各表示オブジェクト１０１に表示オブジェクトＩＤを付与するとともに、この利用者ＩＤと各表示オブジェクト１０１とを対応づけて表示オブジェクトデータベース１４に記憶させ（ステップＳ５）、各表示オブジェクトＩＤを空間管理部１１に返送する（ステップＳ７）。
【００３４】
空間管理部１１は、この返送された各表示オブジェクトＩＤと、先に受信した各表示形態情報１０２とを表示形態情報管理部１７に送信する（ステップＳ９）。
【００３５】
表示形態情報管理部１７は、この各表示オブジェクトＩＤと各表示形態情報１０２とを対応づけて表示形態情報データベース１６に記憶させる（ステップＳ１１）。なお、表示形態情報管理部１７は、表示形態情報データベース１６への表示形態情報１０２の格納までについての成否を空間管理部１１に通知する（ステップＳ１３）。
【００３６】
そして、空間管理部１１は、この通知された成否を３Ｄブラウザ２に通知する（ステップＳ１５）。
【００３７】
３Ｄブラウザ２は、この通知された成否を表示する（ステップＳ１７）。
【００３８】
こうして内面表示情報データベース１２、表示オブジェクトデータベース１４及び表示形態情報データベース１６にデータが蓄積される。
【００３９】
［表示段階］
次に、図３を参照して表示段階の処理を説明する。
【００４０】
３Ｄブラウザ２は、個人空間管理装置１に対し、利用者ＩＤを送信して３Ｄ空間情報２００を要求する（ステップＳ２１）。
【００４１】
空間管理部１１はこの利用者ＩＤを受信すると、内面表示情報管理部１３に対し、受信した利用者ＩＤを送信して内面表示情報１００を要求する（ステップＳ２３）。
【００４２】
内面表示情報管理部１３は、この利用者ＩＤに対応する内面表示情報１００を内面表示情報データベース１２から検索し、これを空間管理部１１に返送する（ステップＳ２５）。
【００４３】
空間管理部１１は、表示オブジェクト管理部１５に対し、受信した利用者ＩＤを送信して表示オブジェクト１０１と表示オブジェクトＩＤを要求する（ステップＳ２７）。
【００４４】
表示オブジェクト管理部１５は、この利用者ＩＤに対応する表示オブジェクト１０１と表示オブジェクトＩＤを表示オブジェクトデータベース１４から検索し、これを空間管理部１１に返送する（ステップＳ２９）。
【００４５】
空間管理部１１は、表示形態情報管理部１７に対し、返送された表示オブジェクトＩＤを送信して表示形態情報１０２を要求する（ステップＳ３１）。
【００４６】
表示形態情報管理部１７は、この表示オブジェクトＩＤに対応する表示形態情報１０２を表示形態情報データベース１６から検索し、これを空間管理部１１に返送する（ステップＳ３３）。
【００４７】
空間管理部１１は、これら検索された内面表示情報１００と表示オブジェクト１０１と表示形態情報１０２とを３Ｄ空間情報生成部１８に送信して３Ｄ空間情報２００を要求する（ステップＳ３５）。
【００４８】
３Ｄ空間情報生成部１８は、これら送信された内面表示情報１００と表示オブジェクト１０１と表示形態情報１０２とを使用して３Ｄ空間情報２００を生成すし、これを空間管理部１１に返送する（ステップＳ３７）。
【００４９】
空間管理部１１は、返送された３Ｄ空間情報２００を３Ｄブラウザ２に送信する（ステップＳ３９）。
【００５０】
３Ｄブラウザ２は、個人空間管理装置１からの３Ｄ空間情報２００を基に、図４に示すように、利用者の住空間を２次元の表示領域に３次元表示する（ステップＳ４１）。図４における利用者の住空間の内面は、内面表示情報１００により表示されたものである。また、表示された物品Ａ（額縁）等は、表示オブジェクト１０１により表示されたものである。また、物品Ａ（額縁）に表示された椅子の図柄は、表示形態情報１０２により表示されたものである。
【００５１】
なお、ステップＳ４１により利用者の住空間が表示されている間に、図２のステップＳ１が行われると、個人空間管理装置１は、図２のステップＳ２〜Ｓ１５に続けて、図３のステップＳ２３〜Ｓ３９を実行する。そのため、追加された物品を表示に迅速に反映させることができる（ステップＳ４３）。
【００５２】
以上説明したように、本実施の形態によれば、利用者の住空間の内面を３次元表示するための内面表示情報を利用者ＩＤに対応づけて記憶する内面表示情報データベース１２から、受信された利用者ＩＤに対応する内面表示情報を検索する手段としての内面表示情報管理部１３と、利用者の住空間に位置する物品を３次元表示するために利用者により送信された情報である表示オブジェクトを利用者ＩＤに対応づけて記憶する表示オブジェクトデータベース１４から、受信された利用者ＩＤに対応する表示オブジェクトを検索する手段としての表示オブジェクト管理部１５と、利用者の住空間の内面を３次元表示するための３Ｄ空間情報を前記検索された内面表示情報と表示オブジェクトとを用いて生成する手段としての３Ｄ空間情報生成部１８と、生成された３Ｄ空間情報を前記利用者ＩＤの送信元である３Ｄブラウザ２へ送信する手段としての空間管理部１１を備えるので、あたかも利用者の住空間のような表示をさせることができ、しかも大量の情報を表示できる。
【００５３】
また、物品の表示形態を決定するために利用者により送信された表示形態情報を利用者ＩＤに対応する表示オブジェクトＩＤに対応づけて記憶する表示形態情報データベース１６から、受信された利用者ＩＤに対応する表示オブジェクトＩＤに対応づけられた表示形態情報を検索する手段としての表示形態情報管理部１７を備え、前記３Ｄ空間情報を生成する手段としての３Ｄ空間情報生成部１８は、前記検索された表示形態情報に応じた表示形態で物品が表示されるように前記３Ｄ空間情報を生成するので、あたかも利用者の住空間のような表示をさせることができ、しかも大量の情報を表示できる。
【００５４】
また、利用者ＩＤと表示オブジェクトとを受信して表示オブジェクトデータベース１４に記憶させるとともに当該表示オブジェクトに表示オブジェクトＩＤを付与する手段としての表示オブジェクト管理部１５、該記憶された表示オブジェクトとともに受信された表示形態情報を前記表示オブジェクトＩＤとともに前記表示形態情報データベースに記憶させる手段としての表示形態情報管理部１７を備えるので、あたかも利用者の住空間のような表示をさせることができ、しかも大量の情報を表示できる。
【００５５】
なお、個人空間管理装置１を汎用コンピュータなどで構成するためのプログラムは、半導体メモリ、磁気ディスク、光ディスク、光磁気ディスク、磁気テープなどのコンピュータ読み取り可能な記録媒体に記録したり、インターネットなどの通信網を介して伝送させて、流通性を高めることができる。
【００５６】
【発明の効果】
以上説明したように、本発明によれば、利用者の住空間の内面を３次元表示するための内面表示情報を利用者ＩＤに対応づけて記憶する内面表示情報データベースから、受信された利用者ＩＤに対応する内面表示情報を検索する手段と、利用者の住空間に位置する物品を３次元表示するために利用者により送信された情報である表示オブジェクトを利用者ＩＤに対応づけて記憶する表示オブジェクトデータベースから、前記受信された利用者ＩＤに対応する表示オブジェクトを検索する手段と、利用者の住空間の内面を３次元表示するための３Ｄ空間情報を前記検索された内面表示情報と表示オブジェクトとを用いて生成する手段と、前記生成された３Ｄ空間情報を前記利用者ＩＤの送信元へ送信する手段とを備えるので、あたかも利用者の住空間のような表示をさせることができ、しかも大量の情報を表示できる。
【図面の簡単な説明】
【図１】本実施の形態の構成を示す図である。
【図２】本実施の形態の作用を示す図である。
【図３】本実施の形態の作用を示す他の図である。
【図４】個人空間の表示画面を示す図である。
【符号の説明】
１  個人空間管理装置
２  ３Ｄブラウザ
１１  空間管理部
１２  内面表示情報データベース
１３  内面表示情報管理部
１４  表示オブジェクトデータベース
１５  表示オブジェクト管理部
１６  表示形態情報データベース
１７  表示形態情報管理部
１８  ３Ｄ空間情報生成部
１００  内面表示情報
１０１  表示オブジェクト
１０２  表示形態情報
２００  ３Ｄ空間情報
【図１】
2004171457.tif 000003
【図２】
2004171457.tif 000004
【図３】
2004171457.tif 000005
【図４】
2004171457.tif 000006